(57)【要約】【課題】  本発明は、画面に外光が当たって画面が見え難い場合であっても、利用者から画面を見ることができる表示装置を提供する。【解決手段】  本表示装置は、画面１１の前面にタッチパネル１２が付設された画像を表示する表示部１０と、複数の利用者Ａの位置を検出する利用者検出部３０と、表示部１０に当たる外光を検出する外光検出部４０と、外光の反射光の向きが利用者の位置を目指さないように、駆動部５０を制御して表示部１０の向きを変える制御部６０とを備える。制御部６０は、検出された各利用者Ａの位置と反射光の向きから、各利用者Ａが反射光によって画面１１が見難いか否かを判断し、画面１１が見難いと判断したとき、制御部６０は、表示部１０の向きを変えて、複数の利用者Ａに画像を見えるようにする。【選択図】図１
2009069444.tif 000002
【特許請求の範囲】
【請求項１】
画像を表示する画面を有する表示部と、前記画面に当たる外光を検出する外光検出部と、前記画面を見る複数の利用者の位置を検出する利用者検出部と、前記外光の反射光に応じて前記画面と前記利用者との相対的位置関係を変える制御部とを備えたことを特徴とする表示装置。
【請求項２】
制御部は、画面に対する外光の入射光から反射光の向きを算出し、前記反射光の向きが利用者の位置を目指さないように、画面の位置を変化させることを特徴とする請求項１に記載の表示装置。
【請求項３】
画面の向きを変える駆動部を備え、
制御部は、前記駆動部を制御して前記画面の向きを変えることを特徴とする請求項２に記載の表示装置。
【請求項４】
制御部は、複数の利用者の位置から前記利用者が存在する存在範囲を特定し、反射光が前記範囲外に向くように画面の向きを変えることを特徴とする請求項３に記載の表示装置。
【請求項５】
利用者検出部は、表示部の前方を撮像する撮像素子を備え、
制御部は、画像から個々の利用者を認識して利用者の位置を特定し、前記利用者の位置から左右に位置する利用者を基準にして存在範囲を決めることを特徴とする請求項４に記載の表示装置。
【請求項６】
外光検出部は、外光の当たる画面上のピーク位置を検出し、
制御部は、前記ピーク位置から前記外光の入射角を算出することを特徴とする請求項１〜５のいずれかに記載の表示装置。
【請求項７】
外光検出部は、ピーク位置の光量を検出し、
制御部は、前記光量が所定値以上のときに画面の向きを変え、前記光量が所定値未満のときに画面の向きを変えることを中止することを特徴とする請求項６に記載の表示装置。
【請求項８】
外光検出部は、外光を受光する複数のラインセンサを備え、
前記ラインセンサは、表示部の左右方向に配置されたことを特徴とする請求項７に記載の表示装置。
【請求項９】
外光検出部は、画面の上方から当たる外光をラインセンサに集光させる集光部を有することを特徴とする請求項８に記載の表示装置。
【請求項１０】
表示部は、回転自在に支持されており、
駆動部は、前記表示部を回転させることを特徴とする請求項３または４に記載の表示装置。
【発明の詳細な説明】
【技術分野】
【０００１】
本発明は、画面に画像を表示する表示装置に関する。
【背景技術】
【０００２】
近年、大型の画面を有する表示装置が開発されている。この大型の画面を有する表示装置は、商品発表や企画説明といったプレゼンテーションで利用されることが多い。
【０００３】
しかし、画像を表示する画面が大きいと、照明や日光といった外光が画面に当たる可能性が高くなるため、外光の当たり具合によっては、画面を見る利用者は、画面が見づらくなることがある。そのため、効果的なプレゼンテーションを行なうことができない問題があった。
【０００４】
特許文献１には、画面に当たる外光の入射光量を検出し、入射光量と利用者の視点とに応じて画面の角度を変える機能が備えられた端末装置が開示されている。
【特許文献１】特開平０５−２６６０５０号公報
【発明の開示】
【発明が解決しようとする課題】
【０００５】
ところで、特許文献１は、一人の利用者が利用する端末装置に備えられた機能であるため、１つの視点に対して画面の位置を制御することを前提としている。しかし、プレゼンテーション等に使用する表示装置の場合は、画面を見る利用者が複数おり、その位置はさまざまである。そのため、単に画面に当たる外光の入射光量を検知するだけでは、全ての利用者に対して画面を見えるようにすることはできない。
【０００６】
本発明は、上記に鑑み、画面に外光が当たって画面が見え難い場合であっても、利用者から画面を見ることができる表示装置の提供を目的とする。
【課題を解決するための手段】
【０００７】
上記目的を達成するために、本発明では、画像を表示する画面を有する表示部と、前記画面に当たる外光を検出する外光検出部と、前記画面を見る複数の利用者の位置を検出する利用者検出部と、前記外光の反射光に応じて前記画面と前記利用者との相対的位置関係を変える制御部とを備えたことを特徴とする。
【０００８】
画面に外光が当たると、利用者は、外光の反射光によって画面が見え難くなる。そこで、制御部は、外光の反射光に応じて前記画面と前記利用者との相対的位置関係を変える。これにより、表示装置は、利用者が外光の反射光によって画面が見え難くなることを防止する。
【０００９】
具体的には、外光検出部は、画面に当たる外光があるか否かを検出する。画面に外光が当たることを検出すると、外光検出部は、外光の当たる画面上のピーク位置、すなわち、一番外光があたる位置を検出する。
【００１０】
制御部は、検出したピーク位置に当たる外光の入射角を算出する。例えば、外光検出部は外光を受光する複数のラインセンサを備え、表示部の左右方向に配置する。制御部は、ラインセンサに当たる外光のピーク位置から、画面に当たる外光の入射角を算出する。そして、制御部は、算出した入射角から反射光の向きを特定する。
【００１１】
利用者検出部は、画面を見る複数の利用者、すなわち、画面の前方にいる複数の利用者の位置を検出する。例えば、利用者検出部は、表示部の前方を撮像する撮像素子を備え、前記撮像素子によって表示部の前方を撮像する。制御部は、複数の利用者を特定するための認識パターンを記憶しておき、撮像された利用者画像とあらかじめ記憶する認識パターンとでパターンマッチングをし、利用者の位置を特定する。
【００１２】
制御部は、反射光の向きが利用者の位置を目指さないように、画面と利用者との相対的位置関係を変える。例えば、画面の向きを変える駆動部を備え、反射光の向きが利用者の位置を目指さないように、画面の位置を変化させる。具体的には、表示部は回転自在に支持されており、制御部が駆動部を制御して表示部を回転させて画面の向きを変える。
【００１３】
ところで、画面の向きは、反射光の向きと各利用者の位置に基づいて決定する。例えば、反射光の向きが各利用者の位置と一致しないように画面の向きを決定する。あるいは、各利用者の位置から前記利用者が存在する存在範囲を特定し、反射光が前記存在範囲外に向くように画面の向きを決定する。
【００１４】
なお、前記存在範囲は、画像から個々の利用者を認識して利用者の位置を特定し、前記利用者の位置から左右に位置する利用者を基準にして決める。
【００１５】
画面に当たる外光の光量が少ない場合、例えば、画像を表示するための画面の光量よりも外光の光量が少ない場合、画面が見え難くなることはない。そこで、外光検出部は、ピーク位置の光量を検出し、前記光量が所定値未満の場合、制御部は、画面の向きを変えることを中止する。これにより、制御部は、余計に画面の向きを変える必要が少なくなる。そのため、利用者は、落ち着いて画面を見ることができる。
【００１６】
外光としては、太陽光、室内照明等が考えられる。そのため、外光は、外光検出部の上方向から当たる場合が多い。そこで、上方向から当たる外光が外光検出部の中央に集光するように、集光部を備える。これにより、外光検出部は、より画面に当たる外光を検出することが可能となる。
【発明の効果】
【００１７】
本発明によると、画面に当たる外光の反射光の向きに応じて、画面の向きを変えることにより、外光の反射光によって画面が見え難くなることを防止できる。したがって、利用者は、画面上に表示された画像を確実に見ることができる。
【００１８】
特に、複数の利用者がいる場合、各利用者に対して、反射光が向かわないようにすることができるので、大画面を多数の利用者が見るようなシチュエーションに好適な表示装置を提供することができる。
【発明を実施するための最良の形態】
【００１９】
以下、本発明の表示装置を詳細に説明する。
【００２０】
本発明の表示装置は、指や専用のタッチペンといった入力ツールによって表示部１０に入力された画像を表示するものであって、商品発表や企画説明といったプレゼンテーションで利用されるものである。また、表示装置は、表示部１０の画面１１に表示された画像を、画面１１に当たる外光の反射光によって複数の利用者Ａが見難くなったときに、表示部１０の向きを変えて各利用者Ａから見えるようにする機能を備える。
【００２１】
表示装置は、図１および図２に示すように、画像を表示する表示部１０と、前記表示部１０を支持する台座２０と、複数の利用者Ａの位置を検出する利用者検出部３０と、太陽光や照明といった外光を検出する外光検出部４０と、表示部１０の向きを変える駆動部５０と、それら装置を制御する制御装置６０とから構成される。
【００２２】
表示部１０は、画像を表示する画面１１と、画面１１の表面を覆うように取り付けられたタッチパネル１２とから構成される。表示部１０は、台座２０の支持台２２の上面に配置される。画面１１は、例えば、ＣＲＴディスプレイや液晶ディスプレイ等であり、制御装置６０からの指示に基づいて、入力された画像を表示する。
【００２３】
タッチパネル１２は、専用の透明なスクリーンから形成される。タッチパネル１２は、図３に示すように、赤外線等の光を投射するＬＥＤアレイ１３ｘ，１３ｙと、ＬＥＤアレイ１３ｘ，１３ｙから投射された光を受光するフォトトランジスタアレイ１４ｘ，１４ｙとを備える。ＬＥＤアレイ１３ｘ，１３ｙおよびフォトトランジスタアレイ１４ｘ，１４ｙによって、タッチパネル１２に対する入力操作を検出する入力センサが構成される。
【００２４】
ＬＥＤアレイ１３ｘ，１３ｙは、画面１１のＸ方向に光を投射するＸ方向ＬＥＤアレイ１３ｘと、Ｙ方向に光を投射するＹ方向ＬＥＤアレイ１３ｙとから構成される。各ＬＥＤアレイ１３ｘ，１３ｙは、タッチパネル１２の各辺に沿って複数備えられる。Ｘ方向ＬＥＤアレイ１３ｘは、タッチパネル１２の下辺に配置され、Ｙ方向ＬＥＤアレイ１３ｙは、タッチパネル１２の左辺に配置される。
【００２５】
フォトトランジスタアレイ１４ｘ，１４ｙは、Ｘ方向ＬＥＤアレイ１３ｘから投射された光を受光するＸ方向フォトトランジスタアレイ１４ｘと、Ｙ方向ＬＥＤアレイ１３ｙから投射された光を受光するＹ方向フォトトランジスタアレイ１４ｙとから構成される。各フォトトランジスタアレイ１４ｘ，１４ｙは、タッチパネル１２の各辺に沿って複数備えられる。Ｘ方向フォトトランジスタアレイ１４ｘは、タッチパネル１２の上辺に配置され、Ｙ方向フォトトランジスタアレイ１４ｙは、タッチパネル１２の右辺に配置される。
【００２６】
入力センサは、入力ツールで触れた位置を赤外線遮断方式によって検出する。具体的には、利用者Ａが入力ツールによってタッチパネル１２の表面に触れると、ＬＥＤアレイ１３ｘ，１３ｙから投射された光が、入力ツールにより遮断される。そのため、一部のフォトトランジスタアレイ１４ｘ，１４ｙでは、光を受光することができない。ＬＥＤアレイ１３ｘ，１３ｙから投射される光を受光しなかったフォトトランジスタアレイ１４ｘ，１４ｙの座標を確認し、その座標を入力ツールが触れた位置の座標と特定する。
【００２７】
台座２０は、床面と接触する基台２１と、表示部１０を載置する支持台２２と、基台２１と支持台２２を連結する２つの脚部２３と、利用者検出部３０と外光検出部４０を支持するフレーム２４とを備える。
【００２８】
基台２１の底面には、表示装置の移動を容易にするための移動用車輪（キャスタ）２４と、地震や移動の際に表示装置が転倒しないようにするための転倒防止脚とを備える。基台２１の上面には、画面１１に表示した画像をプリントするプリンタ７０が配設される。
【００２９】
支持台２２の下面には、画面１１に表示するための画像を取り込むためのスキャナ８０が配設される。フレーム２４は、表示部１０を囲むようにコの字状に形成されたパイプであって、支持台２２の上面に支持される。
【００３０】
利用者検出部３０は、表示部１０に対向する位置にいる複数の利用者Ａ、例えば、画面１１に表示されている画像を見ている複数の利用者Ａの位置を検出する。具体的には、利用者検出部３０は、表示部１０の前方を撮像する撮像素子を備える。利用者検出部３０は、表示部１０の中央の上方を通るフレーム２４に設置される。利用者検出部３０は、所定のタイミングで撮像する。例えば、定期的、あるいは、制御部６０からの指示に基づいて撮像する。利用者検出部３０は、撮像した利用者画像を制御部６０に出力する。
【００３１】
外光検出部４０は、画面に当たる外光を検出する。外光検出部４０は、外光を受光する２つのラインセンサ４０Ｌ，４０Ｒと、各ラインセンサ４０Ｌ，４０Ｒに対して外光を集光する集光部４１とを備える。
【００３２】
２つのラインセンサ４０Ｌ，４０Ｒは、複数の感光部が１列に配置されたものである。各ラインセンサ４０Ｌ，４０Ｒは、表示部１０の長手方向に沿って設けられる。各ラインセンサ４０Ｌ，４０Ｒは、表示部１０の左右両端の上方を通るフレーム２４にそれぞれ設置される。
【００３３】
感光部は、光を受光するものであって、それぞれに番号が決められている。本実施形態では、ラインセンサＬ４０Ｌは、ラインセンサＬ４０Ｌに向かって左からＳＬ０、ＳＬ１、ＳＬ２・・・ＳＬ１００と決められている。ラインセンサＲ４０Ｒは、ラインセンサＲ４０Ｒに向かって左からＳＲ０、ＳＲ１、ＳＲ２・・・ＳＲ１００と決められている。
【００３４】
外光検出部４０は、外光の有無を検出する。外光が有ることを検出すると、外光検出部４０は、外光が当たった各ラインセンサ４０Ｌ，４０Ｒの感光部の番号を検出し、制御部６０に出力する。また、外光検出部４０は、各ラインセンサ４０Ｌ，４０Ｒに当たった外光の光量を検出する。外光検出部４０は、検出した光量を制御部６０に出力する。
【００３５】
外光としては、太陽光、室内照明等が考えられる。そのため、外光は、外光検出部４０の前側上方向からくる場合が多い。集光部４１は、図４に示すように、前側上方向からくる外光をラインセンサ４０Ｌ，４０Ｒの中央に集光するためのレンズである。例えば、ラインセンサ４０Ｌ，４０Ｒの長手方向に延びるシリンドリカルレンズである。集光部４１は、各ラインセンサ４０Ｌ，４０Ｒの表面を覆うように取り付けられ。
【００３６】
駆動部５０は、表示部１０を回転自在に支持する回転軸５１と、表示部１０の重量の一部を支持する両端支持部５２と、回転軸５１周りに表示部１０を回転させるモータ５３とを備える。
【００３７】
両端支持部５２は、表示部１０の両端の下部に取り付けられる。両端支持部５２は、表示部１０の移動を補助するための移動用車輪５４が備えられる。
【００３８】
制御部６０は、ＲＡＭ、ＲＯＭといったデータを一時的に記憶するメモリ６２と、制御プログラムやデータを記憶する記憶部６３と、画面１１に画像を表示させるＬＣＤコントローラ６４と、これら装置を制御するＣＰＵ６１とを有するマイクロコンピュータからなる。
【００３９】
ＣＰＵ６１は、ＨＤＤ（Ｈａｒｄ Ｄｉｓｋ Ｄｒｉｖｅ）からなる記憶部６３に格納されている制御プログラムをメモリ６３に読み出して、制御プログラムを実行する。各装置は、制御プログラムにしたがって動作する。
【００４０】
制御部６０は、図５に示すように、ニューラルネットワークを利用したパターンマッチング方式にて複数の利用者が存在する存在範囲を特定する。
【００４１】
具体的には、記憶部６３には、データベースとして各利用者Ａの顔画像を記憶部６３にあらかじめ記憶しておく。制御部６０は、撮像した利用者画像を受信すると、所定サイズのマトリックスで、撮像した利用者画像（図５（ａ）参照）を記憶部６３に記憶した顔画像に基づいて、Ｘ方向およびＹ方向に順次パターンマッチングの判定を行なう。利用者画像の中に、顔画像にマッチングした画像の存在を検出すると、制御部６０は、その画像を含むマトリックスの位置が各利用者Ａの顔の位置であると判定する。
【００４２】
制御部６０は、図５（ｂ）に示すように、判定した利用者の顔の位置から、表示部１０に対する複数の利用者Ａの存在する範囲を特定する。具体的には、図９に示すように、撮影した利用者画像のＸ座標に対応した表示部１０からの角度β１，β２を示すテーブルを、あらかじめ記憶部６３に記憶しておく。制御部６０は、判定した座標Ｘ１，Ｘ２から、表示部１０に対する利用者Ａが存在する存在範囲の一番左端までの角度β１と右端までの角度β２をテーブルから読み出す。すなわち、制御部６０は、特定した顔の位置の一番左側の撮影した利用者画像のＸ座標であるＸ１を検出し、検出したＸ１に対応する角度β１をテーブルから読み出す。角度β２も同様にして求める。
【００４３】
これにより、制御部６０は、角度β１から角度β２を各利用者Ａの存在範囲と特定することができる。複数の利用者Ａがいる場合、個々に利用者Ａの位置を特定しても、利用者Ａが移動すると、その都度、利用者Ａを検出しなければならない。しかし、複数の利用者Ａの存在範囲を１人の利用者Ａの位置とみなすことにより、各利用者Ａの移動を考慮しなくても良くなり、制御部６０での処理を素早くできる。そのため、利用者全体の存在範囲だけを検出すればよく、この存在範囲が変化したときだけ対処すればよい。
【００４４】
制御部６０は、表示部１０に当たる外光の入射角αから反射光の向きを特定し、その向きが存在範囲外となるように表示部１０の向きを決定する。
【００４５】
先ず、制御部６０は、外光の入射角αを算出する。各ラインセンサ４０Ｌ，４０Ｒは、ＳＬ０からＳＬ１００の１０１個の感光部を有する。記憶部６３には、各ラインセンサ４０Ｌ，４０Ｒの感光部の番号に対応した外光の入射角αＬ，αＲのデータベースをあらかじめ記憶する。
【００４６】
各ラインセンサ４０Ｌ，４０Ｒは、外光が当たったことを検出すると、感光部からの出力のうち最も高い出力（ＳＬｍａｘ，ＳＲｍａｘ）となる感光部を検出する。すべての感光部の中で、１１番目の感光部ＳＬ１０，ＳＲ１０が最も高い出力である場合、その感光部をピーク位置として、感光部の番号を制御部６０に出力する。
【００４７】
制御部６０は、あらかじめ記憶した入射角αＬ，αＲのデータテーブルを参照して、感光部ＳＬ１０，ＳＲ１０の番号から外光の入射角αＬ，αＲを特定する。そして、制御部６０は、入射角αＬと入射角αＲの平均値（（αＬ＋αＲ）÷２）から外光の入射角αを算出する。
【００４８】
次に、制御部６０は、算出された入射角αから外光の反射光の向き、具体的には、図７に示すように、反射光の反射角θを算出し、その反射角θが各利用者Ａの存在範囲外になるように表示部１０の向きを決定する。反射角θは次式で求められる。
【００４９】
θ＝１８０−α  ・・・（１）
【００５０】
そこで、制御部６０は、この反射角θが各利用者Ａの存在範囲、すなわち、角度β１から角度β２の間に位置するかを判定する。
【００５１】
β２＜１８０−α＜β１  ・・・（２）
【００５２】
反射角θが（２）式を満たす角度であれば、各利用者Ａに外光の反射光が当たっておらず、表示部１０の向きを調整する必要がない。しかし、反射角θが（２）式を満たさない角度であれば、いずれかの利用者Ａに外光の反射光が当たっており、利用者は画面１１が見えずらい状態となっている。
【００５３】
そこで、制御部６０は、利用者に外光の反射光が当たらないように、表示部１０の向きを調整する必要がある。
【００５４】
ところで、（１）式は、表示部１０の向きが変更されていない状態、すなわち、複数の利用者Ａに対向するように画面１１が位置する向きでの外光の反射角θを示す。例えば、表示部１０の向きがγ傾いた場合は次式で求められる。
【００５５】
θ＝１８０−α＋２×γ  ・・・（３）
【００５６】
そうすると、各利用者Ａに反射光が向かないようにするには、
１８０−α＋２×γ＞β１  ・・・（４）
１８０−α＋２×γ＜β２  ・・・（５）
の範囲を満たす反射角θとすれば良い。
【００５７】
制御部６０は、測定した入射角α、存在範囲に係る角度β１，β２から、回転角度γを算出する。具体的には、
β１＝１８０−α＋２×γ  ・・・（６）
もしくは、
β２＝１８０−α＋２×γ  ・・・（７）
から算出した回転角度γの値のうち、値が小さい方の値を角度γとして設定する。値が小さい方が、表示部１０の向きの変化が少なくなることになるので、変更時間が短くて済む。
【００５８】
制御部６０は、外光検出部４０に当たった外光の光量から、表示部１０の向きを変えるか否かを判断する。具体的には、外光検出部４０から入力された外光の光量が、あらかじめに記憶された基準値より大きい場合は、表示部１０の向きを変える。基準値より小さい場合は、表示部１０の向きを変えない。
【００５９】
なお、基準値は、画面１１の光量から決められる。画面１１の光量よりも多い光量の外光が当たると、外光によって画面１１の光が飛んでしまい、見えなくなる可能性が高い。逆に、画面１１の光量よりも少ない光量の外光が当たると、画面１１の光は、外光で飛んでしまうことはない。そこで、基準値は、画面１１の光量とし、その基準値を記憶部６３に記憶しておく。この基準値は、利用者Ａによって変更することができる。例えば、画面の光量を変更したときに、変更した光量を基準値とする。あるいは、製品の平均的な光量を基準値としても良い。
【００６０】
次に、図８に基づいて、表示装置の動作について説明する。
【００６１】
利用者Ａによって、表示装置の電源がＯＮされる。制御部６０は、画面１１に画像を表示させる。これと同時に、ラインセンサ４０Ｌ，４０Ｒは、外光が当たるか否かを検出する。外光が当たることを検出すると、制御部６０は、表示部１０の角度調整を開始する（Ｓ１００）。
【００６２】
先ず、制御部６０は、外光の光量を特定する（Ｓ１０５）。外光の光量が基準値より小さい場合は、表示部１０の向きを変える必要がないので、表示部１０の角度調整は終了する（Ｓ１０５のＮ）。
【００６３】
外光の光量が基準値より大きい場合は、複数の利用者Ａの存在範囲を特定する。利用者検出部３０は、表示装置の前方を撮影し（Ｓ１１０）、撮像した利用者画像を制御部６０に出力する。制御部６０は、撮像した利用者画像と記憶部６に記憶した顔画像とでパターンマッチングをし、個々の利用者Ａの顔の位置を特定する（Ｓ１２０）。そして、特定した個々の利用者Ａの顔の位置から、存在範囲に係る角度β１，β２を特定する（Ｓ１３０）。
【００６４】
制御部６０は、角度β１，β２を特定すると同時に、画面１１に当たる外光の入射角αを算出する。そして、制御部６０は、算出した入射角αから反射角θを算出する。
【００６５】
制御部６０は、算出した反射角θから各利用者Ａに反射光が当たらないか判定する（Ｓ１３５）。反射光が角度β１，β２の範囲、すなわち、存在範囲に当たっていない場合は、表示部１０の向きを変える必要がないので、表示部１０の角度調整は終了する（Ｓ１３５のＮ）。
【００６６】
反射光が存在範囲に当たっている場合は（Ｓ１３５のＹ）、表示部１０の向きを変える必要があるので、制御部６０は、各利用者Ａに反射光が当たらないように、表示部１０の向きを調整する角度γを算出する（Ｓ１４０）。
【００６７】
制御部６０は、算出した角度γの内、最小の値を角度γとして設定する。制御部６０は、算出した角度γに基づき、駆動部５０を制御して、表示部１０を角度γだけ回転させる（Ｓ１５０）。そして、制御部６０は、表示部１０の角度調整を終了する。
【００６８】
これにより、表示装置は、外光によって画面１１が複数の利用者Ａから見難くなった場合であっても、表示部１０の向きを変えて、各利用者Ａに反射光が当たらないようにするため、常に画像を各利用者Ａに対して見せることができる。
【００６９】
なお、本発明は、上記実施形態に限定されるものではなく、本発明の範囲内で上記実施形態に多くの修正および変更を加え得ることは勿論である。
【００７０】
本実施形態では、表示部の向きを変えているが、利用者の位置を変えても良い。例えば、表示部の前面に回転が備える。回転台は、表示部を中心に回転する。利用者は回転台の上に位置しており、制御部は、外光によって画面１１が複数の利用者Ａから見難い場合、回転台を回転させる。これにより、利用者に反射光が当たらないようにすることができ、常に画像を利用者に対して見せることができる。
【００７１】
本実施形態では、外光角度を正確に特定するために、２つのラインセンサを設けるよう構成しているが、ラインセンサを中央に一つ設けて、その１つで検出した角度により、外光角度を特定してもよい。あるいは、ラインセンサを複数備えてもよい。これにより、外光の入射角や反射角をより正確に算出することができる。
【００７２】
本実施形態では、反射光が利用者の存在する範囲に入らないように表示部の向きを決定しているが、各利用者に当たらない位置であっても良い。例えば、複数の利用者が存在する場合、利用者同士の間に反射光が向くように表示部の向きを決定する。これにより、表示部の回転を、より最小限に抑えることができる。
【図面の簡単な説明】
【００７３】
【図１】本発明に係る表示装置を示す全体正面図
【図２】表示装置を示すブロック図
【図３】タッチパネルの構成図
【図４】外光検出部の概略側面図
【図５】利用者検出部で撮像した画像データであって、（ａ）は撮影画像を示す図、（ｂ）は特定した利用者の顔の位置の認識結果の例を示す図
【図６】利用者検出部が外光を受光したときの概略側面図
【図７】外光の反射光の向きを示す図であって、（ａ）は表示部の向きが変更されていない状態での反射光の向きを示す図、（ｂ）は表示部の向きが変更された状態での反射光の向きを示す図
【図８】表示装置の動作のフローチャート
【図９】特定した利用者の顔の位置の座標と表示部に対する存在範囲の角度の関係を示す図
【符号の説明】
【００７４】
１０    表示部
１１    画面
１２    タッチパネル
１３ｘ  Ｘ方向ＬＥＤアレイ
１３ｙ  Ｙ方向ＬＥＤアレイ
１４ｘ  Ｘ方向フォトトランジスタアレイ
１４ｙ  Ｙ方向フォトトランジスタアレイ    
２０    台座
２１    基台
２２    支持台
２３    脚部
２４    移動用車輪
３０    利用者検出部
４０    外光検出部
４０Ｌ  ラインセンサＬ
４０Ｒ  ラインセンサＲ
４１    集光部
５０    駆動部
５１    回転軸
５２    両端支持部
５３    モータ
５４    移動用車輪
６０    制御部
６１    ＣＰＵ
６２    メモリ
６３    記憶部
６４    ＬＣＤコントローラ
７０    プリンタ
８０    スキャナ
【図１】
2009069444.tif 000003
【図２】
2009069444.tif 000004
【図３】
2009069444.tif 000005
【図４】
2009069444.tif 000006
【図５】
2009069444.tif 000007
【図６】
2009069444.tif 000008
【図７】
2009069444.tif 000009
【図８】
2009069444.tif 000010
【図９】
2009069444.tif 000011